(57)【要約】【課題】吊り下げて使用することが困難な場合であっても、抜け孔を上にした状態で使用することができる蓄尿袋を提供する。【解決手段】本考案に係る蓄尿袋１０は、尿液を蓄積する袋状の蓄尿部１１の上部に当該蓄尿部１１内の空気を逃がすための抜け孔１１ｂを有する蓄尿袋であって、その蓄尿部１１に、空気が封入されることによって膨らむ膨張部１２を備える。例えば旅行先の旅館などにおいて蓄尿袋１０を吊り下げて使用することが困難な場合には、膨張部１２に空気を封入して膨張させることで、その膨らんだ状態の膨張部１２によって蓄尿部１１を支えて使用する。【選択図】図１
0003190250.tif 000002
【実用新案登録請求の範囲】
【請求項１】
尿液を蓄積する袋状の蓄尿部の上部に当該蓄尿部内の空気を逃がすための抜け孔を有する蓄尿袋であって、
前記蓄尿部に、空気が封入されることによって膨らむ膨張部を備える蓄尿袋。
【請求項２】
前記膨張部は、前記蓄尿部の裏側に設けられている請求項１に記載の蓄尿袋。
【請求項３】
前記膨張部は、前記蓄尿部に一体的に設けられている請求項１または２に記載の蓄尿袋。
【請求項４】
前記膨張部は、横長状である請求項１から３の何れか１項に記載の蓄尿袋。
【請求項５】
前記膨張部は、Ｕ字状である請求項１から３の何れか１項に記載の蓄尿袋。
【考案の詳細な説明】
【技術分野】
【０００１】
本考案は、尿液を収集して蓄積する蓄尿袋に関する。
【背景技術】
【０００２】
従来より、例えば特許文献１に開示されているように、尿液を収集して蓄積するための蓄尿袋が考案されている。
【先行技術文献】
【特許文献】
【０００３】
【特許文献１】実用新案登録第３１６５８７８号公報
【考案の概要】
【考案が解決しようとする課題】
【０００４】
ところで、この種の蓄尿袋は、尿液を蓄積する袋状の蓄尿部の上部に、当該蓄尿部内の空気を逃がすための抜け孔を有する構成となっている。ここで、例えば病院などの施設において蓄尿袋を使用する場合には、このような蓄尿袋を吊り下げるためのベッドあるいは器具などが整えられているから、抜け孔を上にした状態で蓄尿袋を使用することができる。よって、蓄積された尿液が抜け孔から漏れる心配はない。しかしながら、例えば旅行先の旅館などといった外出先において蓄尿袋を使用する場合には、このような蓄尿袋を吊り下げるためのベッドあるいは器具などが整えられていない場合が殆どであり、従って、蓄尿袋を吊り下げて使用することができず、抜け孔を上にした状態で蓄尿袋を使用することが困難となる。よって、蓄積された尿液が抜け孔から漏れる心配があり、使用者は、安心して過ごすことができない。
【０００５】
そこで、本考案は、吊り下げて使用することが困難な場合であっても、抜け孔を上にした状態で使用することができる蓄尿袋を提供する。
【課題を解決するための手段】
【０００６】
本考案に係る蓄尿袋は、尿液を蓄積する袋状の蓄尿部の上部に当該蓄尿部内の空気を逃がすための抜け孔を有する蓄尿袋であって、その蓄尿部に、空気が封入されることによって膨らむ膨張部を備える。この構成によれば、例えば旅行先の旅館などにおいて蓄尿袋を吊り下げて使用することが困難な場合には、膨張部に空気を封入して膨張させることで、その膨らんだ状態の膨張部によって蓄尿部を支えることができる。これにより、吊り下げて使用することが困難な場合であっても、抜け孔を上にした状態で蓄尿袋を使用することができる。
【０００７】
さらに、本考案に係る蓄尿袋は、膨張部を、蓄尿部の裏側に設けるとよい。これにより、膨らんだ状態の膨張部によって蓄尿部を裏側から支えることができ、表側の抜け孔を上にした状態で蓄尿袋を使用することができる。
さらに、本考案に係る蓄尿袋は、膨張部を、蓄尿部に一体的に設けるとよい。これにより、使用者は、膨張部を蓄尿袋と一体的に携帯することができ、必要なときにのみ、膨張部を膨張させて使用することができる。
【図面の簡単な説明】
【０００８】
【図１】本考案の一実施形態に係る蓄尿袋の一例を概略的に示す斜視図
【図２】膨張部を膨張させた状態における蓄尿袋の一例を概略的に示す断面図
【図３】本考案の変形実施形態を示す図１相当図
【図４】膨張部を膨張させた状態における蓄尿袋の一例を概略的に示す平面図
【考案を実施するための形態】
【０００９】
以下、本考案の一実施形態について図面を参照しながら説明する。例えば図１に示すように、本実施形態に係る蓄尿袋１０は、蓄尿部１１と膨張部１２を備える。また、蓄尿袋１０の上部には、吊り下げ部１３が設けられている。この吊り下げ部１３は、例えばループ状あるいはフック状などの形状で適宜設ければよく、要は、蓄尿袋１０を吊り下げることができる構成であれば種々の構成を採用することができる。
【００１０】
蓄尿部１１は、例えばビニールなどの軟質の材料からなり、袋状に形成されている。この蓄尿部１１の上部には、同じく例えばビニールなどの軟質の材料からなる導尿管１１ａが接続されており、この導尿管１１ａから蓄尿部１１の内部に尿液が蓄積されるようになっている。また、例えば図２にも示すように、蓄尿部１１の上部には、当該蓄尿部１１内の空気を逃がすための抜け孔１１ｂが形成されている。なお、この抜け孔１１ｂが形成されている側を蓄尿部１１の表側とし、この表側とは反対側、つまり、抜け孔１１ｂが形成されていない側を蓄尿部１１の裏側とする。
【００１１】
そして、その蓄尿部１１の裏側には、膨張部１２が設けられている。この膨張部１２も、同じく例えばビニールなどの軟質の材料からなり、袋状に形成され、空気封入口１２ａから空気が封入されることによって膨らむようになっている。また、この場合、膨張部１２は、例えば接着あるいは溶着などによって、蓄尿部１１に一体的に設けられている。なお、空気封入口１２ａは、例えば浮き輪などに備えられる周知の空気封入口で構成され、封入された空気が抜けることを防止する逆止用のヒダなどを内部に備える構成である。また、膨張部１２から空気を抜く場合には、空気封入口１２ａを歪ませるなどして空気の抜け道を形成することにより、膨張部１２から空気を抜いて収縮させることができる。
【００１２】
例えば図２には、膨張部１２を膨張させた状態にして実際に使用する場合における蓄尿袋１０を示している。即ち、本実施形態に係る蓄尿袋１０によれば、膨らんだ状態の膨張部１２によって蓄尿部１１を支えることができ、抜け孔１１ｂを上にした状態で蓄尿袋１０を使用することができる。よって、蓄尿部１１に蓄積された尿液Ｎが抜け孔１１ｂから漏れる心配がなく、使用者は、安心して過ごすことができる。
【００１３】
本実施形態に係る蓄尿袋１０によれば、尿液を蓄積する袋状の蓄尿部１１の上部に当該蓄尿部１１内の空気を逃がすための抜け孔１１ｂを有する蓄尿袋１０であって、その蓄尿部１１に、空気が封入されることによって膨らむ膨張部１２を備える。この構成によれば、例えば旅行先の旅館などにおいて蓄尿袋１０を吊り下げて使用することが困難な場合には、膨張部１２に空気を封入して膨張させることで、その膨らんだ状態の膨張部１２によって蓄尿部１１を支えることができる。これにより、吊り下げて使用することが困難な場合であっても、抜け孔１１ｂを上にした状態で蓄尿袋１０を使用することができる。
【００１４】
さらに、本実施形態に係る蓄尿袋１０は、膨張部１２を、蓄尿部１１の裏側、つまり、抜け孔１１ｂが形成されている表側とは反対側に設けている。これにより、膨らんだ状態の膨張部１２によって蓄尿部１１を裏側から支えることができ、表側の抜け孔１１ｂを上に向けた状態、つまり、上に向かって開口した状態で蓄尿袋１０を使用することができる。よって、蓄尿部１１に蓄積された尿液Ｎが抜け孔１１ｂから漏れる心配が一層なくなり、使用者は、一層安心して過ごすことができる。
【００１５】
さらに、本実施形態に係る蓄尿袋１０は、膨張部１２を、蓄尿部１１に一体的に設けている。これにより、使用者は、膨張部１２も蓄尿袋１０と一体的に携帯することができ、必要なときにのみ、膨張部１２を膨張させて使用することができる。また、使用のたびに膨張部１２を蓄尿部１１に取り付ける手間を省くことができる。また、膨張部１２を携帯し忘れてしまうことを防止することができる。
【００１６】
さらに、本実施形態に係る蓄尿袋１０によれば、吊り下げ部１３を備えているので、例えば病院などの施設において蓄尿袋１０を吊り下げるためのベッドあるいは器具などが整えられている場合には、膨張部１２を膨張させなくとも、蓄尿袋１０を吊り下げて、抜け孔１１ｂを上にした状態で使用することができる。
【００１７】
なお、本考案は、上述した一実施形態に限定されるものではなく、その要旨を逸脱しない範囲において適宜変形あるいは拡張することができる。
例えば図３に示すように、蓄尿袋１０は、横長状の膨張部１２に代えて、ほぼＵ字状の膨張部１４を備える構成としてもよい。この場合、膨張部１４は、２つの脚部を下側に向けた状態で蓄尿部１１に備えられている。また、この膨張部１４も、空気封入口１２ａと同様の空気封入口１４ａを備えており、空気封入口１４ａから空気を封入することで膨張し、空気封入口１４ａから空気を抜くことで収縮するようになっている。この構成によれば、例えば図４に示すように、蓄尿袋１０を使用する場合には、膨張したＵ字状の膨張部１４の脚部間に尿液Ｎを安定して蓄積することができる。また、膨張したＵ字状の膨張部１４により蓄尿袋１０を安定して支えることができる。
【００１８】
また、例えば、膨張部１２，１４は、蓄尿部１１に一体的に設けるのではなく、蓄尿部１１に着脱可能に設けてもよい。また、蓄尿袋１０は、吊り下げ部１３を備えない構成としてもよい。また、蓄尿部１１や膨張部１２，１４などの形状や大きさは、適宜変更して実施することができる。また、蓄尿部１１や膨張部１２，１４などを構成する材料は、適宜変更して実施することができる。
【符号の説明】
【００１９】
図面中、１０は蓄尿袋、１１は蓄尿部、１１ｂは抜け孔、１２は膨張部、１４は膨張部を示す。
【図１】
0003190250.tif 000003
【図２】
0003190250.tif 000004
【図３】
0003190250.tif 000005
【図４】
0003190250.tif 000006